(57)【特許請求の範囲】
【請求項１】
複数の機器に着脱でき、かつ携帯可能である携帯型情報処理装置であって、
情報を記憶する記憶手段と、
前記機器のうちいずれか一つの機器に接続する接続手段と、
前記記憶手段に記憶されている記憶情報を用いて、前記接続手段により接続されている機器の動作を制御する制御手段と、
前記接続手段により接続されている機器から情報を取得する取得手段と、を備え、
前記複数の機器は、第１機器と第２機器であり、
前記第１機器に接続している場合には、
前記取得手段は、前記第１機器が保有する第１情報を取得し、
前記記憶手段は、前記取得手段により取得された前記第１情報を記憶し、
前記第２機器に接続している場合には、
前記取得手段は、前記第２機器が保有する第２情報を取得し、
前記制御手段は、前記取得手段により取得された前記第２情報および前記記憶手段に記憶されている前記第１情報および前記記憶情報に基づいて前記第２機器の動作を制御することを特徴とする携帯型情報処理装置。
【請求項２】
接続されている前記機器が実行可能な所定の動作に関する動作情報を生成する動作情報生成手段、を更に備え、
前記制御手段は、前記動作情報生成手段により生成された前記動作情報に基づいて前記接続中の機器を制御することを特徴とする請求項１に記載の携帯型情報処理装置。
【請求項３】
前記取得手段は、前記接続された機器を識別する識別情報を当該機器から取得し、前記制御手段は、前記取得手段によって取得された識別情報により接続されている機器を判断して、その動作を制御することを特徴とする請求項１または２に記載の携帯型情報処理装置。
【発明の詳細な説明】
【技術分野】
【０００１】
この発明は、携帯型情報処理装置に関する。
【背景技術】
【０００２】
従来、車両に設置されているナビゲーション装置の一部を取り外し、ユーザが運転中のみならず歩行中もナビゲーションを行うことができるナビゲーション装置がある（例えば、下記特許文献１参照。）。
【０００３】
【特許文献１】特開２００３−３５５５４号公報
【発明の開示】
【発明が解決しようとする課題】
【０００４】
しかしながら、上記のナビゲーション装置において、ナビゲーションの表示を行うディスプレイは、車両に設置して使用するのに適したサイズであるため、ユーザが歩行中に利用するにはサイズが大きくて持ち運びに不便であるという問題が一例としてあげられる。また、家などの屋内には車載用のナビゲーション装置のディスプレイよりサイズが大きいテレビやパソコンなどのディスプレイが設置されている。上記のナビゲーション装置を屋内に持ち帰って経路設定等を行う場合には、屋内に設置されているディスプレイを用いればナビゲーション装置のディスプレイは不要となる。この不要なディスプレイを備えたナビゲーション装置を持ち運ばなければならないという問題が一例としてあげられる。
【課題を解決するための手段】
【０００５】
上述した課題を解決し、目的を達成するため、本発明にかかる携帯型情報処理装置は、複数の機器に着脱でき、かつ携帯可能である携帯型情報処理装置であって、情報を記憶する記憶手段と、前記機器のうちいずれか一つの機器に接続する接続手段と、前記記憶手段に記憶されている記憶情報を用いて、前記接続手段により接続されている機器の動作を制御する制御手段と、前記接続手段により接続されている機器から情報を取得する取得手段と、を備え、前記複数の機器は、第１機器と第２機器であり、前記第１機器に接続している場合には、前記取得手段は、前記第１機器が保有する第１情報を取得し、前記記憶手段は、前記取得手段により取得された前記第１情報を記憶し、前記第２機器に接続している場合には、前記取得手段は、前記第２機器が保有する第２情報を取得し、前記制御手段は、前記取得手段により取得された前記第２情報および前記記憶手段に記憶されている前記第１情報および前記記憶情報に基づいて前記第２機器の動作を制御することを特徴とする。
【発明を実施するための最良の形態】
【０００６】
以下に添付図面を参照して、この発明にかかる携帯型情報処理装置の好適な実施の形態を詳細に説明する。
【０００７】
（実施の形態）
（携帯型情報処理装置の基本構成）
図１は、携帯型情報処理装置の実施の形態を示す概要図である。図１に示すように、携帯型情報処理装置１０は、電源を具備する複数の機器に着脱可能である。図１に示す例では複数の機器を第１機器１と、第２機器２として記載した。携帯型情報処理装置１０は、第１機器１に取り付けたときには、第１機器１が取り扱う情報を情報処理する。また、第２機器２に取り付けたときには、第２機器２が取り扱う情報を情報処理する。
【０００８】
そして、この携帯型情報処理装置１０は、第１機器１、または第２機器２から取り外したときには、他の機器の位置まで容易に搬送できるよう、携帯可能な小型化された構成となっている。この携帯型情報処理装置１０は、情報を記憶する記憶手段１１と、複数の機器のうちいずれか一つの機器（図示の例では第１機器１の接続手段３、あるいは第２機器２の接続手段４）に接続する接続手段１２と、第１機器１あるいは第２機器２から情報を取得する情報取得手段１３と、いずれか一つの機器に接続している場合において、接続中の機器の電源から駆動電源が供給されて、情報取得手段１３により取得される機器識別情報および取得情報、並びに記憶手段１１に記憶されている記憶情報に基づいて接続中の機器が実行可能な所定の動作に関する動作情報を生成する動作情報生成手段１４と、動作情報生成手段１４により生成された動作情報に基づいて接続中の機器を制御する制御手段１５と、を有する。
【０００９】
動作情報生成手段１４は、第１機器１に接続している場合には、接続中の第１機器１の電源から駆動電源が供給されて、情報取得手段１３により取得される機器識別情報および取得情報、並びに記憶手段１１に記憶されている記憶情報に基づいて接続中の第１機器１が実行可能な所定の動作に関する動作情報を生成する。同様に、第２機器２に接続している場合には、接続中の第２機器２の電源から駆動電源が供給されて、情報取得手段１３により取得される機器識別情報および取得情報、並びに記憶手段１１に記憶されている記憶情報に基づいて接続中の第２機器２が実行可能な所定の動作に関する動作情報を生成する。このように、携帯型情報処理装置１０は、複数の機器を識別して、異なる装置が実行する所定の動作をそれぞれ制御するものである。
【００１０】
（携帯型情報処理装置の基本制御内容）
図２は、携帯型情報処理装置の基本的な制御内容を示すフローチャートである。図１に記載の携帯型情報処理装置１０の基本的な動作内容を示している。はじめに、制御手段１５は、携帯型情報処理装置１０に対して機器から電源供給されたか判別する（ステップＳ１）。この機器とは、図１に示す第１機器１あるいは第２機器２である。機器から電源供給されるまでの間は非動作状態にある（ステップＳ１：Ｎｏのループ）。機器から電源供給されると（ステップＳ１：Ｙｅｓ）、ステップＳ２を実行する。機器からの電源供給は、携帯型情報処理装置１０を機器（第１機器１あるいは第２機器２）に取り付けて、これら機器の電源をＯＮにしたとき、あるいは電源ＯＮの機器に携帯型情報処理装置１０の接続手段１２を介して取り付けたときなどに開始される。
【００１１】
つぎに、情報取得手段１３は、接続した機器に固有の識別情報を取得し（ステップＳ２）、接続した機器を判別する（ステップＳ３）。この後、情報取得手段１３は、接続した機器から各種情報を取得する（ステップＳ４）。そして、動作情報生成手段１４は、情報取得手段１３により取得した識別情報および各種情報と、記憶手段１１に記憶されている記憶情報に基づいて接続中の機器が実行可能な所定の動作に関する動作情報を生成する（ステップＳ５）。つぎに、制御手段１５は、この動作情報に基づいて接続した機器を制御する（ステップＳ６）。この後、機器からの電源遮断がされるまでの間（ステップＳ７：Ｎｏのループ）、ステップＳ４以降の処理を行い、接続した機器の制御を実行する。
【００１２】
そして、接続した機器からの電源遮断がされると（ステップＳ７：Ｙｅｓ）、携帯型情報処理装置１０は動作を終了する。ここで、機器からの電源の遮断は、携帯型情報処理装置１０をＯＮ状態の機器（第１機器１あるいは第２機器２）から取り外す指令を行ったとき、あるいは機器の電源をＯＦＦにしたときなどである。
【００１３】
（携帯型情報処理装置の接続を変更したときの基本制御内容）
図３は、携帯型情報処理装置を異なる機器に接続したときの制御内容を示すフローチャートである。図３では異なる機器として、図１に示す第１機器１と第２機器２を用いた例を説明する。はじめに、携帯型情報処理装置１０は第１機器１に接続されているとする（ステップＳ１１）。携帯型情報処理装置１０が第１機器１に接続された後、情報取得手段１３は、接続した機器に固有の機器識別情報を取得し、接続した機器を判別しているものとする（図２のステップＳ２，ステップＳ３を実行）。
【００１４】
つぎに、情報取得手段１３は、接続した第１機器１から各種情報を取得する（ステップＳ１２）。そして、動作情報生成手段１４は、情報取得手段１３により取得した機器識別情報および第１取得情報（ステップＳ１２において取得した各種情報）と、記憶手段１１に記憶されている記憶情報に基づいて接続中の第１機器１が実行可能な所定の動作に関する第１動作情報を生成する（ステップＳ１３）。つぎに、制御手段１５は、この第１動作情報に基づいて接続した第１機器１を制御する（ステップＳ１４）。制御手段１５は、第１機器１を制御している間、第１取得情報と、第１動作情報を記憶手段１１に記憶する（ステップＳ１５）。この後、携帯型情報処理装置１０が第１機器１から取り外されるまでの間（ステップＳ１６：Ｎｏのループ）、ステップＳ１２以降の処理を継続的に行い、接続した第１機器１の制御を実行する。
【００１５】
そして、携帯型情報処理装置１０が接続した第１機器１から取り外された後（ステップＳ１６：Ｙｅｓ）、この携帯型情報処理装置１０が第２機器２に接続されたとする（ステップＳ１７）。そして、情報取得手段１３は、接続した第２機器２に固有の機器識別情報を取得し、接続した機器を判別しているものとする（図２のステップＳ２，ステップＳ３を実行）。
【００１６】
つぎに、情報取得手段１３は、接続した第２機器２から各種情報を取得する（ステップＳ１８）。そして、動作情報生成手段１４は、情報取得手段１３により取得した機器識別情報および第２取得情報（ステップＳ１８において取得した各種情報）と、記憶手段１１に記憶されている記憶情報と、記憶手段１１に記憶されている上述の第１取得情報および第１動作情報に基づいて接続中の第２機器２が実行可能な所定の動作に関する第２動作情報を生成する（ステップＳ１９）。つぎに、制御手段１５は、この第２動作情報に基づいて接続した第２機器２を制御する（ステップＳ２０）。制御手段１５は、第２機器２を制御している間、第２取得情報と、第２動作情報を記憶手段１１に記憶する（ステップＳ２１）。この後、携帯型情報処理装置１０が第２機器２から取り外されるまでの間（ステップＳ２２：Ｎｏのループ）、ステップＳ１８以降の処理を継続的に行い、接続した第２機器２の制御を実行する。
【００１７】
そして、携帯型情報処理装置１０が接続した第２機器２から取り外されると（ステップＳ２２：Ｙｅｓ）、携帯型情報処理装置１０は動作を終了する。
【００１８】
なお、上記の制御のステップＳ１５において第１取得情報と第１動作情報の両方を記憶して、ステップＳ１９で両方の情報に基づいて第２動作情報を生成する制御を実行しているが、ステップＳ１５で第１取得情報又は第１動作情報のいずれか一方の情報のみを記憶して、ステップ１９でその記憶した情報に基づいて第２動作情報を生成するようにしてもよい。
【実施例】
【００１９】
つぎに、携帯型情報処理装置の実施例について説明する。以下の実施例では、第１の機器が車両に搭載される移動体機器であり、具体的にはカーナビゲーション装置であるとする。また、第２の機器が自宅設置される屋内機器であり、具体的にはリビングユニットであるものとして説明する。携帯型情報処理装置１０はブレインユニット４０として説明する。
【００２０】
（携帯型情報処理装置の具体的使用例）
図４は、携帯型情報処理装置の具体的な使用例を示す図である。ブレインユニット４０は、車両に搭載される移動体機器（カーナビゲーション装置）４１、あるいは自宅に設置される屋内機器（リビングユニット）４２に接続可能である。
【００２１】
ブレインユニット４０は、矩形状の筐体で構成され、背面にはコネクタからなる接続手段１２が設けられている（不図示）。このコネクタには接続している機器からの各種の情報を取得するための各種Ｉ／Ｆが設けられている。このブレインユニット４０の前面には、各種Ｉ／Ｆと開口形成されたカードスロット４０ａが設けられている。カーナビゲーション装置４１は、本体４１ａと、表示部４１ｂを有している。本体４１ａには、ブレインユニット４０を装着可能な装着用スロット４１ｃが設けられている。この装着用スロット４１ｃの内部には、ブレインユニット４０の接続手段１２を構成するコネクタに対応して接続用のコネクタ（図１の接続手段３）が設けられている。リビングユニット４２には、ＴＶ等の映像表示装置４３が接続されている。このリビングユニット４２にも、ブレインユニット４０を装着可能な装着用スロット４２ａが設けられている。この装着用スロット４２ａの内部には、ブレインユニット４０のコネクタ（接続手段１２）に対応して接続用のコネクタ（図１の接続手段４）が設けられている。図示のように、リビングユニット４２は、ホルダ４２ｂを用いて縦置きに配置したり、不図示であるが横置きに配置したりすることができる。
【００２２】
（屋内機器の接続構成例）
図５は、屋内機器に対する各種装置の接続構成例を示す図である。屋内機器であるリビングユニット４２（図４参照）の背面には各種の接続端子が設けられている。上述したＴＶ等の映像表示装置４３には、ＲＣＡケーブル５１やＳ映像ケーブル５２を介して接続され、映像および音声を映像表示装置４３に出力できる。この他、オーディオ装置５３にＲＣＡケーブル５４を介して接続して音声を出力できる。また、ＵＳＢ端子（不図示）を備え、ＵＳＢＩ／ＦのＬＡＮアダプタ５５が接続可能である。ＬＡＮアダプタ５５はＬＡＮケーブル５６を介してネットワークＨＵＢ５７に接続される。
【００２３】
そして、リビングユニット４２は、ネットワークＨＵＢ５７を介してインターネット等のネットワークに接続可能である。このネットワークＨＵＢ５７には、ＬＡＮケーブル５８および不図示のネットワークカードを備えたパーソナル・コンピュータ（ＰＣ）５９が接続可能である。これにより、リビングユニット４２は、ＰＣ５９とネットワーク接続し、互いに情報を送受信することができる。また、リビングユニット４２の前面に設けられた装着用スロット４２ａにブレインユニット４０を装着し、このブレインユニット４０のカードスロット４０ａにネットワークカード６０を差し込み、ＬＡＮケーブル６１を介してネットワークＨＵＢ５７に接続することも可能である。このリビングユニット４２は、リモコン４２ｄを用いて遠隔操作できる。また、リビングユニット４２に接続されたブレインユニット４０と、ＰＣ５９との間をカードスロット４０ａを用いてＬＡＮやＵＳＢで直接接続させ、ブレインユニット４０をＰＣ５９との間で直接データを送受信することもできる。また、ブレインユニット４０をＰＣ５９を介してインターネット等のネットワークに直接接続させることもできる。
【００２４】
（携帯型情報装置を移動体機器に接続したときの内部構成）
図６は、携帯型情報処理装置を移動体機器に接続した状態の構成を示すブロック図である。図６には、ブレインユニット４０をカーナビゲーション装置４１に接続した構成例を記載している。ブレインユニット４０は、情報処理を行うための中央制御演算部（ＣＰＵ）６１が設けられている。このＣＰＵ６１は、図１に記載した情報取得手段１３と、動作情報生成手段１４と、制御手段１５の機能を有している。このＣＰＵ６１には、内部バス６２を介してＲＯＭ，ＲＡＭ等のメモリ６３が接続されている。また、この内部バス６２には、前述したカードスロット４０ａと、ＤＳＰ（Ｄｉｇｉｔａｌ  Ｓｉｇｎａｌ  Ｐｒｏｓｅｓｓｏｒ）６５が接続されている。また、ＣＰＵ６１には、上述した記憶手段１１としてのＨＤＤ６６と、音入出力Ｉ／Ｆ６７が接続されている。音入出力Ｉ／Ｆ６７は、ＤＳＰ６５と接続されており、ＤＳＰ６５を介して信号処理された情報を入出力することもできる。このＨＤＤ６６には、後述する走行案内（ナビゲーション）動作を行うための地図情報や施設情報などの各種情報が記憶されている。
【００２５】
このブレインユニット４０は、コネクタ等の接続手段１２をカーナビゲーション装置４１の接続手段３に結合させて互いに電気的接続される（図１参照）。カーナビゲーション装置４１には、サブＣＰＵ７０が設けられている。このサブＣＰＵ７０は、電源の管理を行ったり、ブレインユニット４０に対し識別情報を送信したりする。
【００２６】
この他、カーナビゲーション装置４１には、カーナビゲーション、すなわち車両の走行を案内する機能に必要な各種情報をＣＰＵ６１との間で入出力する各種手段が設けられる。情報の入力手段としては、渋滞情報（ＶＩＣＳ）を受信するＶＩＣＳ受信部７１と、ＧＰＳ衛星を用いて車両の位置を検出するための緯度経度等の情報を出力するＧＰＳ部７２と、車両の速度センサ等、各種センサ７３を有している。また、この他に、外部Ｉ／Ｆ７５として、ＵＳＢ、ＩＥＥＥ１３９４、Ｅｔｈｅｒ等の各種Ｉ／Ｆを備えている。操作部７６は、カーナビゲーション装置４１の各種操作を行うもので、カーナビゲーション装置４１の前面パネル等に設けられる。この操作部７６の操作情報は、操作入力Ｉ／Ｆ７７を介してＣＰＵ６１に出力される。ＣＤ／ＤＶＤドライブ７４は、挿入されるＣＤやＤＶＤに記憶された音楽や映像の再生を行う。そして、カーナビゲーション装置４１の各種手段により得た情報は、コネクタ等の接続手段３，１２を介してブレインユニット４０のＣＰＵ６１に出力される。
【００２７】
また、表示出力Ｉ／Ｆ７８は、ＣＰＵ６１あるいはＣＤ／ＤＶＤドライブ７４から出力された表示信号を表示部４１ｂ（図４参照）に出力する。音入出力Ｉ／Ｆ７９は、音入出力部８０に対して音声信号を入出力する。音入出力部８０は、音声信号の入力で音声を出力するスピーカー（ＳＰ）や、音声を拾い音声信号を出力するマイクによって構成されている。この音入出力部Ｉ／Ｆ７９は、ブレインユニット４０の音入出力Ｉ／Ｆ６７、あるいはＣＤ／ＤＶＤドライブ７４との間で音声信号を入出力する。電源回路８１は、カーナビゲーション装置４１に設けられている各構成部に対して動作用の電源を供給する。また、電源回路８１は、ブレインユニット４０がカーナビゲーション装置４１に接続している場合に、コネクタ等の接続手段３，１２を介してブレインユニット４０に対しても動作用の電源を供給する。
【００２８】
（携帯型情報処理装置を屋内機器に接続したときの内部構成）
図７は、携帯型情報処理装置を屋内機器に接続した状態の構成を示すブロック図である。図には、ブレインユニット４０をリビングユニット４２に接続した構成例を記載している。ブレインユニット４０の内部構成は、図６と同様であるため、説明を省略する。
【００２９】
ブレインユニット４０は、コネクタ等の接続手段１２をリビングユニット４２の接続手段４に結合させて互いに電気的に接続される（図１参照）。リビングユニット４２には、外部Ｉ／Ｆ８４として、ＵＳＢ、ＩＥＥＥ１３９４、Ｅｔｈｅｒ等の各種Ｉ／Ｆを備えている。図５に記載した各種装置を接続するための各種の接続端子に相当する。そしてこの各種装置を情報源として情報を受信し、情報を送信することができる。操作部８５は、リビングユニット４２の各種操作を行うもので、前述したリモコン４２ｄ（図４参照）を用いる他に、リビングユニット４２の前面パネル内部に設けることができる。この操作部８５の操作情報は、操作入力Ｉ／Ｆ８６を介してＣＰＵ６１に出力される。また、リビングユニット４２の各種手段により得た情報は、コネクタ等の接続手段４，１２を介してブレインユニット４０のＣＰＵ６１に出力される。
【００３０】
また、表示出力Ｉ／Ｆ８７は、ＣＰＵ６１から出力された表示信号を映像表示装置４３（図４参照）に出力する。音入出力Ｉ／Ｆ８８は、音入出力部８９に対して音声信号を入出力する。音入出力部８９は、音声信号の入力で音声を出力するスピーカー（ＳＰ）や、音声を拾い音声信号を出力するマイクによって構成されている。電源回路９０は、リビングユニット４２に設けられている各構成部に対して動作用の電源を供給する。また、電源回路９０は、ブレインユニット４０がリビングユニット４２に接続している場合に、コネクタ等の接続手段４，１２を介してブレインユニット４０に対しても動作用の電源を供給する。このリビングユニット４２には、サブＣＰＵ９１が設けられている。このサブＣＰＵ９１は、電源の管理を行ったり、ブレインユニット４０に対し識別情報を送信したりする。
【００３１】
（携帯型情報処理装置を移動体機器あるいは屋内機器に接続したときの具体的な制御内容）
図８は、携帯型情報処理装置を移動体機器あるいは屋内機器に接続したときのそれぞれの機器における制御内容を説明するフローチャートである。以下の説明では、記憶手段であるＨＤＤ６６には、地図情報等、車両走行を案内（ナビゲーション）するための情報が格納されているとする。
【００３２】
はじめに、ブレインユニット４０は、接続している機器（接続機器）からの電源供給を待機し（ステップＳ３０：Ｎｏのループ）、接続機器から電源供給を受けると（ステップＳ３０：Ｙｅｓ）、接続機器から識別情報を取得し（ステップＳ３１）、接続機器を判別する（ステップＳ３２）。
【００３３】
ステップＳ３２による判別の結果が移動体機器であるときには、携帯型情報処理装置（ブレインユニット）４０は、この移動体機器（カーナビゲーション装置）４１の動作を制御する。以下の説明では、図６の接続構成を用いて説明する。まず、ＣＰＵ６１は、移動体機器４１から位置検出情報を取得する（ステップＳ３３）。この位置検出情報は、ＧＰＳ部７２や各種センサ７３から出力された情報であり、ＣＰＵ６１が車両の現在位置を演算するための情報である。これに限らず、この位置検出情報は、移動体機器４１に設けられているサブＣＰＵ７０等の演算部がＧＰＳ部７２や各種センサ７３から出力された情報に基づいて演算した情報であってもよい。この他、ＧＰＳ部７２が演算部を有して現在の車両位置を演算した情報であってもよい。
【００３４】
つぎに、ＣＰＵ６１は、ＨＤＤ６６に格納されている地図情報などのナビゲーション用の各種情報、取得した識別情報および位置検出情報等に基づいて走行経路を案内するためのナビゲーション情報を生成する（ステップＳ３４）。ナビゲーション情報の生成は、その他の情報として、ＶＩＣＳ受信部７１が受信した渋滞情報や、操作部７６を用いて設定した車両走行の目的地情報、経路情報、施設情報等を用いて生成することができる。そして、このナビゲーション情報に基づいて表示部４１ｂにナビゲーション画面を表示する（ステップＳ３５）。この後、移動体機器４１からの電源遮断の有無を検出し（ステップＳ３６）、電源遮断されていない間は（ステップＳ３６：Ｎｏ）、ステップＳ３３に復帰してステップＳ３３〜ステップＳ３６の処理を継続する。一方、電源遮断されると（ステップＳ３６：Ｙｅｓ）、移動体機器４１の制御を終了する。
【００３５】
ステップＳ３２による判別の結果が屋内機器であるときには、携帯型情報処理装置（ブレインユニット）４０は、この屋内機器（リビングユニット）４２の動作を制御する。この屋内機器を用いて、ＨＤＤ６６に記憶されている地図情報や施設情報などの各種ナビゲーション情報の表示や、走行経路の変更、地図情報の更新等を行うことができる。図７の接続構成を用いて説明する。
【００３６】
まず、ＣＰＵ６１は、屋内機器４２から指令情報を取得する（ステップＳ３７）。具体的には図１記載の情報取得手段１３がリモコン４２ｄ（図４参照）などのユーザが操作する操作手段から指令情報を取得する。つぎに、この指令情報に基づいて、屋内機器４２に対する要求情報を生成する（ステップＳ３８）。具体的には図１記載の動作情報生成手段１４が実行する。そして、屋内機器４２は要求情報に基づいて更新情報を取得する（ステップＳ３９）。ステップＳ３８，ステップＳ３９の処理では、屋内機器４２に設けられている外部Ｉ／Ｆ８４等を介して新たな地図情報等の更新情報を取得する。そして、ＣＰＵ６１は、この更新情報に基づいて、記憶手段であるＨＤＤ６６に記憶されている地図情報等の記憶情報を更新する（ステップＳ４０）。具体的には、図１記載の制御手段１５が実行する。
【００３７】
なお、屋内機器４２の動作中に映像表示装置４３等に記憶情報を表示することができる。この後、屋内機器４２からの電源遮断の有無を検出し（ステップＳ４１）、電源遮断されていない間は（ステップＳ４１：Ｎｏ）、ステップＳ３７に復帰してステップＳ３７〜ステップＳ４１の処理を継続する。一方、電源遮断されると（ステップＳ４１：Ｙｅｓ）、屋内機器４２の制御を終了する。
【００３８】
以上説明したように、携帯型情報処理装置（ブレインユニット）４０を屋内機器（リビングユニット）４２に接続することにより、ブレインユニット４０に設けられた記憶手段（ＨＤＤ６６）に記憶されている記憶情報を管理することができる。
【００３９】
（屋内機器を用いた情報処理例−地図情報の更新処理）
図９は、携帯型情報処理装置の接続替えを行い移動体機器で用いる情報を更新処理する例を示すフローチャートである。屋内機器（リビングユニット）４２を用いて移動体機器（カーナビゲーション装置）４１で用いる地図情報を更新する例を示している。
【００４０】
はじめに、携帯型情報処理装置（ブレインユニット）４０を屋内機器（リビングユニット）４２に接続する（ステップＳ５０）。これにより、ブレインユニット４０は、屋内機器（リビングユニット）４２から地図更新指令情報を取得し（ステップＳ５１）、この地図更新指令情報に基づいて要求情報を生成する（ステップＳ５２）。この後、リビングユニット４２は、要求情報に基づいて地図更新情報を取得する（ステップＳ５３）。具体的には、図５に記載したＬＡＮアダプタ５５を介してブレインユニット４０をインターネット等にネットワーク接続させ、地図情報を管理しているサーバにアクセスして更新された地図情報をダウンロードする。これらの処理は、図１記載の情報取得手段１３および動作情報生成手段１４が実行する。そして、ブレインユニット４０は、取得した地図更新情報に基づいて地図情報を更新する（ステップＳ５４）。具体的には、図１記載の制御手段１５は、ブレインユニット４０のＨＤＤ６６に記憶されている地図情報を取得した地図更新情報を用いて更新する。
【００４１】
この後、屋内機器（リビングユニット）４２からの取り外しの有無を判断する（ステップＳ５５）。携帯型情報処理装置（ブレインユニット）４０を屋内機器（リビングユニット）４２に装着したままの状態のときには（ステップＳ５５：Ｎｏ）、ステップＳ５１に復帰してステップＳ５１〜ステップＳ５５の処理を継続する。
【００４２】
この後、携帯型情報処理装置（ブレインユニット）４０を屋内機器（リビングユニット）４２から取り外し（ステップＳ５５：Ｙｅｓ）、移動体機器（カーナビゲーション装置）４１に接続する（ステップＳ５６）。これにより、カーナビゲーション装置４１は、車両の走行案内（カーナビゲーション）機能を実行できるようになる。
【００４３】
そして、ブレインユニット４０は、接続された移動体機器（カーナビゲーション装置）４１から位置検出情報を取得する（ステップＳ５７）。上述したように、この位置検出情報は、ＧＰＳ部７２（図６参照）から出力される緯度経度等の情報や各種センサ７３から出力される情報等をＣＰＵ６１が演算処理して得られる。この後、ＣＰＵ６１は、ＨＤＤ６６に記憶されている更新された地図情報と、識別情報と、位置検出情報などに基づいてナビゲーション情報を生成する（ステップＳ５８）。そして、この生成されたナビゲーション情報に基づいて表示部４１ｂにナビゲーション画面を表示する（ステップＳ５９）。この際、ナビゲーション案内を音入出力部８０のスピーカーから音声出力することもできる。このような車両走行の際の走行案内機能は、ブレインユニット４０が移動体機器（カーナビゲーション装置）４１に取り付けられている間、継続して行われる（ステップＳ６０：Ｎｏ〜ステップＳ５７のループ）。ブレインユニット４０が移動体機器（カーナビゲーション装置）４１から取り外されると（ステップＳ６０：Ｙｅｓ）、走行案内機能を含めてブレインユニット４０の全体動作が終了する。
【００４４】
ところで、上記説明では単に地図情報を更新する例を説明した。例えば日本全国の地図情報となるとデータ量が膨大になる。したがって、ブレインユニット４０は、移動体の現在位置、または、設定ルートや走行履歴といったナビゲーション情報を記憶手段（ＨＤＤ６６）に格納しておき、この現在位置や走行履歴等に基づいて更新する地図情報の範囲を選択してその選択した範囲の地図情報（例えば関東地域）だけを更新する構成にもできる。
【００４５】
以上説明したように、ブレインユニット４０を移動体機器（カーナビゲーション装置）４１に接続して車両の走行案内を行うことができる。そして、このブレインユニット４０を屋内機器（リビングユニット）４２に接続させることにより、走行案内に必要な地図情報を更新することができるようになる。これにより、常に新しい地図情報を用いて車両を走行案内することができるようになる。
【００４６】
（屋内機器を用いた情報処理例−経路情報の受信処理）
図１０は、携帯型情報処理装置の接続替えを行い移動体機器で用いる情報を更新処理する例を示すフローチャートである。移動体機器（カーナビゲーション装置）４１が実行する車両の案内機能の一部として経路案内情報（ドライブプラン情報）がある。この経路案内情報とは、車両が走行予定の目的地周辺または経路周辺の施設情報やイベント情報など、車両の走行経路を設定する際に役立つ情報である。図１０には、屋内機器（リビングユニット）４２を用いてこの経路案内情報に用いる経路情報を受信する例を示している。
【００４７】
はじめに、携帯型情報処理装置（ブレインユニット）４０を屋内機器（リビングユニット）４２に接続する（ステップＳ７０）。これにより、ブレインユニット４０は、屋内機器（リビングユニット）４２から経路設定指令情報を取得し（ステップＳ７１）、この経路設定指令情報に基づいて要求情報を生成する（ステップＳ７２）。このときの経路設定指令情報は、リビングユニット４２に設けられている操作部８５（図７参照）を操作して、車両の走行経路に対応した道順等を設定操作することを指している。
【００４８】
この後、リビングユニット４２は、要求情報に基づいて経路情報を取得する（ステップＳ７３）。具体的には、図５に記載したＬＡＮアダプタ５５を介してブレインユニット４０をインターネット等にネットワーク接続させ、経路情報を管理しているサーバにアクセスして該当する経路情報をダウンロードする。これらの処理は、図１記載の情報取得手段１３および動作情報生成手段１４が実行する。この後、ブレインユニット４０は、取得した経路情報に基づいて経路案内情報を生成する（ステップＳ７４）。そして、この経路案内情報をＨＤＤ６６に記憶する（ステップＳ７５）。
【００４９】
この後、屋内機器（リビングユニット）４２からの取り外しの有無を判断する（ステップＳ７６）。携帯型情報処理装置（ブレインユニット）４０を屋内機器（リビングユニット）４２に装着したままの状態のときには（ステップＳ７６：Ｎｏ）、ステップＳ７１に復帰してステップＳ７１〜ステップＳ７６の処理を継続する。
【００５０】
この後、携帯型情報処理装置（ブレインユニット）４０を屋内機器（リビングユニット）４２から取り外し（ステップＳ７６：Ｙｅｓ）、移動体機器（カーナビゲーション装置）４１に接続する（ステップＳ７７）。これにより、カーナビゲーション装置４１は、車両の走行案内（カーナビゲーション）機能の一部として、上記の経路案内情報を表示できるようになる。
【００５１】
そして、ブレインユニット４０は、接続された移動体機器（カーナビゲーション装置）４１から位置検出情報を取得する（ステップＳ７８）。この後、ＣＰＵ６１は、ＨＤＤ６６に記憶されている地図情報と、識別情報と、位置検出情報と、経路案内情報などに基づいてナビゲーション情報を生成する（ステップＳ７９）。そして、この生成されたナビゲーション情報に基づいて表示部４１ｂにナビゲーション画面を表示する（ステップＳ８０）。そして、ナビゲーション画面には、車両が走行予定の目的地周辺または経路周辺の施設情報やイベント情報などの経路案内情報を表示することができる。この際、ナビゲーション案内を音入出力部８０のスピーカーから音声出力することもできる。このような車両走行の際の走行案内機能は、ブレインユニット４０が移動体機器（カーナビゲーション装置）４１に取り付けられている間、継続して行われる（ステップＳ８１：Ｎｏ〜ステップＳ７８のループ）。ブレインユニット４０が移動体機器（カーナビゲーション装置）４１から取り外されると（ステップＳ８１：Ｙｅｓ）、走行案内機能を含めてブレインユニット４０の全体動作が終了する。
【００５２】
ところで、上記説明では単に経路情報を受信する例を説明したが、移動体の現在位置、または、走行履歴のようなナビゲーション情報を記憶手段（ＨＤＤ６６）に格納しておき、この走行履歴等に基づいて受信する経路情報の範囲（施設情報やイベント情報の取得範囲）を選択してその選択した範囲の経路情報だけを受信するようにすることもできる。
【００５３】
以上説明したように、ブレインユニット４０を移動体機器（カーナビゲーション装置）４１に接続して車両の走行案内を行うことができる。この際、リビングユニット４２を用いて設定した車両の走行経路に対応した経路案内情報の表示等をすることができるようになる。これにより、実際の車両の走行案内時に最新の経路案内情報（車両が走行予定の目的地周辺または経路周辺の施設情報やイベント情報など）を表示することができるようになる。
【００５４】
（携帯機器の構成）
図１１は、携帯機器を示す斜視図である。この携帯機器１００も携帯型情報処理装置（ブレインユニット）４０が装着される機器である。携帯機器１００の表面にはＬＣＤ等の表示部１０１と、表示部１０１上にタッチパネル等の操作部１０２が設けられている。また、側面には音声出力用のスピーカー１０３ａおよびマイク１０３ｂが設けられている。
【００５５】
携帯機器１００の側面には、ブレインユニット４０を装着するための装着用スロット１００ａが設けられている。この装着用スロット１００ａの内部には、ブレインユニット４０の接続手段１２（図１参照）が結合される接続手段（コネクタ）が設けられている。また、背面および底面には、外部機器と情報を送受信するための各種Ｉ／Ｆ用のコネクタ（不図示）が設けられている。この携帯機器１００は、上述した移動体機器（カーナビゲーション装置）４１とほぼ同様の機能を有し、携帯できる程度に小型化したものに相当する。
【００５６】
（携帯型情報処理装置を携帯機器に接続したときの内部構成）
図１２は、携帯型情報処理装置を携帯機器に接続した状態の構成を示すブロック図である。図には、ブレインユニット４０を携帯機器１００に接続した構成例を記載している。ブレインユニット４０の内部構成は、図６と同様であるため、説明を省略する。
【００５７】
携帯機器１００の接続手段１０７に、ブレインユニット４０に設けられたコネクタ等の接続手段１２を結合させて互いに電気的に接続できる。表示部１０１は、ＣＰＵ６１から出力された表示信号を表示する。操作部１０２は、図１１記載のタッチパネルを操作したときの操作信号をＣＰＵ６１に出力する。操作部１０２としては、外部接続したキーボードを用いることもできる。音入出力部１０３は、音声信号の入力で音声を出力するスピーカー１０３ａと、音声を拾い音声信号を出力するマイク１０３ｂによって構成されている。ＧＰＳ部１０４は、ＧＰＳ衛星を用いて車両の位置を検出するための緯度経度等の情報を出力する。このＧＰＳ部１０４を設けることにより、ＣＰＵ６１は、ＧＰＳ部１０４等から出力された情報に基づいて車両の現在位置を演算して位置検出情報を演算できる。そして、この位置検出情報およびＨＤＤ６６等に格納しておいた地図情報等に基づいて走行経路を案内するためのナビゲーション情報を生成することもできる。電源回路１０５は、携帯機器１００に設けられている各構成部に対してバッテリー１０６の電源を安定化して供給する。また、電源回路１０５は、ブレインユニット４０が携帯機器１００に接続している場合に、コネクタ等の接続手段１０７，１２を介してブレインユニット４０に対しても動作用の電源を供給する。この携帯機器１００には、サブＣＰＵ１０８が設けられている。このサブＣＰＵ１０８は、電源の管理を行ったり、ブレインユニット４０に対し識別情報を送信したりする。
【００５８】
この携帯機器１００に携帯型情報処理装置（ブレインユニット）４０を装着することにより、上述した移動体機器（カーナビゲーション装置）４１と同様の機能を有する。したがって、図８を用いて説明したステップＳ３３〜ステップＳ３５、図９を用いて説明したステップＳ５７〜Ｓ５９、図１０を用いて説明したステップＳ７８〜８０の処理は、この携帯機器１００においても同様に実行することができる。携帯機器１００を用いることにより、使用箇所を選ばず、屋外でも屋内機器同様の機能を持たせることができるようになる。
【００５９】
具体的には、ブレインユニット４０を携帯機器１００に接続して携帯機器１００の携帯者に対して経路（歩行）案内を行うことができる。この際、設定した経路に対応した経路案内情報の表示等をすることができるようになる。これにより、実際の経路案内時に最新の経路案内情報（目的地周辺または経路周辺の施設情報やイベント情報など）を表示することができるようになる。
【００６０】
（２つ以上複数の機器に接続した際の各機器の動作例）
図１３は、携帯型情報処理装置を複数の機器に接続替えを行い各機器を動作させる例を示すフローチャートである。以下の説明では、携帯型情報処理装置（ブレインユニット）４０を屋内機器（リビングユニット）４２あるいは携帯機器１００に接続させ、リビングユニット４２を用いて経路設定して、移動体機器（カーナビゲーション装置）４１と、携帯機器１００でそれぞれ走行案内（ナビゲーション）機能を動作させる例である。携帯機器１００における走行案内とは主にユーザの歩行時において道案内等をするものである。
【００６１】
はじめに、携帯型情報処理装置（ブレインユニット）４０を屋内機器（リビングユニット）４２に接続する（ステップＳ９０）。これにより、ブレインユニット４０は、屋内機器（リビングユニット）４２から経路設定指令情報を取得し（ステップＳ９１）、地図情報と、経路設定指令情報に基づいて移動体用経路案内情報と、携帯用経路案内情報を生成する（ステップＳ９２）。
【００６２】
経路設定指令情報は、移動体機器（カーナビゲーション装置）４１における車両の走行経路の設定と、携帯機器１００におけるユーザの歩行経路の設定からなる。この経路設定指令情報は、リビングユニット４２に設けられている操作部８５（図７参照）を操作して、車両又は歩行の走行経路に対応した道順等を設定操作することを指している。また、移動体用経路案内情報は、移動体機器（カーナビゲーション装置）４１における車両の走行案内を行うために生成される。携帯用経路案内情報は、携帯機器１００におけるユーザの走行案内（歩行案内）を行うために生成される。
【００６３】
この後、リビングユニット４２は、移動体用経路案内情報と、携帯用経路案内情報を記憶手段であるＨＤＤ６６に記憶する（ステップＳ９３）。
【００６４】
この後、屋内機器（リビングユニット）４２からの取り外しの有無を判断する（ステップＳ９４）。携帯型情報処理装置（ブレインユニット）４０を屋内機器（リビングユニット）４２に装着したままの状態のときには（ステップＳ９４：Ｎｏ）、ステップＳ９１に復帰してステップＳ９１〜ステップＳ９４の処理を継続する。
【００６５】
この後、携帯型情報処理装置（ブレインユニット）４０を屋内機器（リビングユニット）４２から取り外し（ステップＳ９４：Ｙｅｓ）、移動体機器４１，あるいは携帯機器１００に接続させる。そして、ブレインユニット４０は接続機器を判別する（ステップＳ９５）。
【００６６】
ステップＳ９５における判別の結果、接続が移動体機器である場合には、ステップＳ９６〜ステップＳ１０１の処理を実行する。これにより、移動体機器（カーナビゲーション装置）４１は、車両の走行案内（カーナビゲーション）機能を実行できるようになる。はじめに、ブレインユニット４０は、移動体機器４１から位置検出情報を取得する（ステップＳ９６）。つぎに、地図情報と、識別情報と、位置検出情報と、移動体用経路案内情報などに基づいて移動体用ナビゲーション情報を生成する（ステップＳ９７）。そして、移動体用ナビゲーション情報に基づいて、移動体用ナビゲーション画面を表示部４１ｂに表示する（ステップＳ９８）。
【００６７】
そして、車両が最終目的地に到着したか判断する（ステップＳ９９）。最終目的地に到着していないときには（ステップＳ９９：Ｎｏ）、移動体用目的地に到着したか判断する（ステップＳ１００）。この例における移動体用目的地とは、移動体機器４１を用いた走行案内を行う範囲が、最終目的地までの経路の途中位置に設定されている場合を示している。車両が最終目的地に到着しておらず（ステップＳ９９：Ｎｏ）、また、移動体用目的地に到着していない間は（ステップＳ１００：Ｎｏ）、ステップＳ９６に戻ってステップＳ９６〜ステップＳ１００の処理を継続する。この間、移動体用ナビゲーション画面が継続して表示される。
【００６８】
車両が最終目的地に到着したときには（ステップＳ９９：Ｙｅｓ）、走行案内を終了する。また、車両が最終目的地に到着していないが（ステップＳ９９：Ｎｏ）、途中位置に設定された移動体用目的地に到着したときには（ステップＳ１００：Ｙｅｓ）、移動体機器４１を用いた走行案内を終了する。そして、ブレインユニット４０は、移動体機器４１からの取り外しを待つ（ステップＳ１０１：Ｎｏのループ）。ブレインユニット４０を移動体機器４１から取り外すと（ステップＳ１０１：Ｙｅｓ）、ステップＳ９５に移行して他の接続機器（上記説明の場合は、携帯機器１００）への接続を判別する。
【００６９】
ステップＳ９５における判別の結果、接続が携帯機器１００である場合には、ステップＳ１１０〜ステップＳ１１５の処理を実行する。これにより、携帯機器１００は、走行案内（歩行案内を含む）機能を実行できるようになる。はじめに、ブレインユニット４０は、携帯機器１００から位置検出情報を取得する（ステップＳ１１０）。つぎに、地図情報と、識別情報と、位置検出情報と、携帯用経路案内情報などに基づいて携帯用ナビゲーション情報を生成する（ステップＳ１１１）。そして、携帯用ナビゲーション情報に基づいて、携帯用ナビゲーション画面を表示部１０１に表示する（ステップＳ１１２）。
【００７０】
そして、携帯機器１００を用いた走行案内が最終目的地に到着したか判断する（ステップＳ１１３）。最終目的地に到着していないときには（ステップＳ１１３：Ｎｏ）、携帯用目的地に到着したか判断する（ステップＳ１１４）。この例における携帯用目的地とは、携帯機器１００を用いた走行案内を行う範囲が、最終目的地までの経路の途中位置に設定されている場合を示している。最終目的地に到着しておらず（ステップＳ１１３：Ｎｏ）、また、携帯用目的地に到着していない間は（ステップＳ１１４：Ｎｏ）、ステップＳ１１０に戻ってステップＳ１１０〜ステップＳ１１４の処理を継続する。この間、携帯用ナビゲーション画面が継続して表示される。
【００７１】
そして、最終目的地に到着したときには（ステップＳ１１３：Ｙｅｓ）、走行案内を終了する。また、最終目的地に到着していないが（ステップＳ１１３：Ｎｏ）、途中位置に設定された携帯用目的地に到着したときには（ステップＳ１１４：Ｙｅｓ）、携帯機器１００を用いた走行案内を終了する。ここで、ブレインユニット４０は、携帯機器１００からの取り外しを待つ（ステップＳ１１５：Ｎｏのループ）。ブレインユニット４０を携帯機器１００から取り外すと（ステップＳ１１５：Ｙｅｓ）、ステップＳ９５に移行して他の接続機器（上記説明の場合は、移動体機器４１）への接続を判別する。
【００７２】
以上説明したように、ブレインユニット４０を移動体機器（カーナビゲーション装置）４１や、携帯機器１００に接続替えをしてそれぞれの機器で走行案内を行うことができる。この際、リビングユニット４２を用いてそれぞれの機器用に設定した走行経路に対応した経路案内情報を表示することができるようになる。例えば、はじめに携帯機器１００を携帯して携帯用目的地である車両までの経路を走行案内（歩行案内）し、車両に搭乗後は、移動体用機器（カーナビゲーション装置）４１を用いて最終目的地までの車両の走行案内を行うことができるようになる。逆に、当初は、移動体機器４１により移動体用目的地までの経路を走行案内し、この後は、携帯機器１００を用いて最終目的地までの走行案内（歩行案内）を行うことができるようになる。これらは、ブレインユニット４０を移動体機器４１と携帯機器１００に接続替えするだけで簡単に行える。また、実際の走行開始前に、屋内機器（リビングユニット）４２を用いて屋内でこれら複数の機器それぞれの経路設定を行うことができる。
【００７３】
なお、上記の説明では屋内機器（リビングユニット）４２によって経路設定を行うが、これに限らず移動体機器（カーナビゲーション装置）４１または携帯機器１００によって上記の経路設定を行うようにしてもよい。
【００７４】
以上説明した実施例では、ブレインユニット４０を複数の機器である移動体機器（カーナビゲーション装置）４１と、屋内機器（リビングユニット）４２と、携帯機器１００に接続して各機器の機能を動作させる構成を説明した。ブレインユニット４０が接続されるこれら移動体機器（カーナビゲーション装置）４１と、屋内機器（リビングユニット）４２と、携帯機器１００の他の機能について説明する。
【００７５】
ブレインユニット４０のＨＤＤ６６には、予め音楽等の音声情報を記憶しておくことができる。そして、移動体機器（カーナビゲーション装置）４１と、屋内機器（リビングユニット）４２と、携帯機器１００は、それぞれ音入出力部８０，８９，１０３を有しており（図６，７，１２参照）、音楽を再生することができる。ブレインユニット４０に、予め接続される機器毎の再生環境の情報を設定しておき、接続している機器を判別して各機器に対応した再生環境で音楽を再生することができるようになる。この再生環境とは、各機器の応じた音質（イコライザ）調整や音場設定等からなる。これにより、ブレインユニット４０を接続した機器に最適な再生環境で音楽等を再生できるようになる。なお、ブレインユニット４０は再生環境の情報を接続している機器の表示部４１ｂ，１０１、映像表示装置４３（図６，７，１２参照）に表示させて、操作部からの指令によって再生環境を設定・編集することができる。
【００７６】
また、屋内機器（リビングユニット）４２は、外部Ｉ／Ｆ８４（図７参照）を介してインターネット等のネットワークに接続できる。そして、ネットワーク上のサーバ等の情報源にアクセスして再生環境の情報を取得してＨＤＤ６６に更新記憶できる。同様に、ネットワーク上の情報源から新たな音声情報を取得してＨＤＤ６６に記憶することもできる。なお、音声情報の情報源は、ネットワークに限らず、図示しないＣＤ／ＤＶＤドライブに挿入された音楽ＣＤ等から音声情報を取得してＨＤＤ６６に記憶することもできる。また、ブレインユニット４０を移動体機器４１に接続した際にＣＤ／ＤＶＤドライブ７４に挿入された音楽ＣＤ等から音声情報を取得してＨＤＤ６６に記憶させた後、このブレインユニット４０を屋内機器（リビングユニット）４２、あるいは携帯機器１００を用いて再生することもできる。
【００７７】
また、屋内機器（リビングユニット）４２が接続可能なネットワーク上からは、ユーザが所望する音声情報（音楽情報）や、取得可能な音楽情報を記載した音楽番組情報、ヒットチャート、記憶している音楽情報に関連する各種情報（例えば当該音楽情報の内容（曲名、アーティスト名、時間など）、当該音楽と同じアーティストの音楽情報またはアーティスト自身の情報）など音声（音楽）に関連する所定の情報を取得し、ＨＤＤ６６に記憶させることもできる。この記憶された情報は、表示部４１ｂ，１０１や映像表示装置４３等に表示させることができる。
【００７８】
この他、ＨＤＤ６６に記憶された音声情報を屋内機器（リビングユニット）４２を用いて編集することができる。例えば音楽の再生順番を設定したり、音声の再生箇所を指定したり、前後曲の曲間の設定、音声情報のファイル変換等を行うことができる。
【００７９】
また、ブレインユニット４０は、ＨＤＤ６６に記憶されている情報を種類別やファイル別等に一覧化して接続されている機器の表示部４１ｂ，１０１や映像表示装置４３等に情報を掲示して表示することができる。
【００８０】
（屋内機器を用いた情報処理例−複数の機器の再生環境に応じた音声出力処理）
図１４は、携帯型情報処理装置の接続替えを行い移動体機器と屋内機器のそれぞれの再生環境に応じた音声出力処理する例を示すフローチャートである。移動体機器（カーナビゲーション装置）４１と、屋内機器（リビングユニット）４２のそれぞれの音声の再生環境に適した音声を出力する例を示している。
【００８１】
はじめに、携帯型情報処理装置（ブレインユニット）４０は、接続した機器（接続機器）からの電源供給を待機し（ステップＳ１２１：Ｎｏのループ）、接続機器から電源供給を受けると（ステップＳ１２１：Ｙｅｓ）、接続機器から識別情報を取得し（ステップＳ１２２）、接続機器を判別する（ステップＳ１２３）。ステップＳ１２３による判別の結果が移動体機器であるときには、携帯型情報処理装置（ブレインユニット）４０は、この移動体機器（カーナビゲーション装置）４１における音声の再生環境を制御する。
【００８２】
はじめに、記憶手段であるＨＤＤ６６等に記憶されている音声情報と、識別情報と、移動体用再生環境情報などに基づいて移動体用オーディオ情報を生成する（ステップＳ１２４）。移動体用再生環境情報は、移動体機器（カーナビゲーション装置）４１に適した音声の再生環境の情報であり、例えば、移動体用機器に応じた音質（イコライザ）調整や音場設定等の情報からなる。
【００８３】
この後、ステップＳ１２４にて生成された移動体用オーディオ情報に基づいて移動体機器（カーナビゲーション装置）４１の音入出力部８０（図６参照）のスピーカーから音声出力する（ステップＳ１２５）。この後、移動体機器（カーナビゲーション装置）４１からの電源遮断の有無を検出し（ステップＳ１２６）、電源遮断されていない間は（ステップＳ１２６：Ｎｏ）、ステップＳ１２４に復帰してステップＳ１２４〜ステップＳ１２６の処理を継続する。一方、電源遮断されると（ステップＳ１２６：Ｙｅｓ）、移動体機器（カーナビゲーション装置）４１を用いた音声出力の制御を終了する。
【００８４】
ステップＳ１２３による判別の結果が屋内機器であるときには、携帯型情報処理装置（ブレインユニット）４０は、この屋内機器（リビングユニット）４２における音声の再生環境を制御する。
【００８５】
はじめに、記憶手段であるＨＤＤ６６等に記憶されている音声情報と、識別情報と、屋内用再生環境情報などに基づいて屋内用オーディオ情報を生成する（ステップＳ１３１）。屋内用再生環境情報は、屋内機器（リビングユニット）４２に適した音声の再生環境の情報であり、例えば、屋内機器に応じた音質（イコライザ）調整や音場設定等の情報からなる。
【００８６】
この後、ステップＳ１３１にて生成された屋内用オーディオ情報に基づいて屋内機器（リビングユニット）４２の音入出力部８９（図７参照）のスピーカーから音声出力する（ステップＳ１３２）。この後、屋内機器（リビングユニット）４２からの電源遮断の有無を検出し（ステップＳ１３３）、電源遮断されていない間は（ステップＳ１３３：Ｎｏ）、ステップＳ１３１に復帰してステップＳ１３１〜ステップＳ１３３の処理を継続する。一方、電源遮断されると（ステップＳ１３３：Ｙｅｓ）、屋内機器（リビングユニット）４２を用いた音声出力の制御を終了する。
【００８７】
ところで、携帯機器１００を用いてＨＤＤ６６等に記憶されている音声を再生することができる。この際、上記処理同様に携帯機器１００に応じた再生環境情報に基づいて携帯用オーディオ情報を生成し、この携帯用オーディオ情報に基づいて携帯機器１００の音入出力部１０３（図７参照）のスピーカー１０３ａ（図１１参照）から音声出力することができる。
【００８８】
上記説明は、携帯型情報処理装置（ブレインユニット）４０を移動体機器（カーナビゲーション装置）４１、あるいは携帯機器１００に接続した際の処理例であるが、携帯型情報処理装置（ブレインユニット）４０が接続される機器の組み合わせとしては、他に、移動体機器（カーナビゲーション装置）４１と、携帯機器１００の組み合わせがある。この他に、屋内機器（リビングユニット）４２と、携帯機器１００の組み合わせがある。これらの組み合わせ時においても図１４と同様の処理により、各機器に適した再生環境を有して音声出力することができる。
【００８９】
（屋内機器を用いた情報処理例−一方の機器で出力する音声情報等を他方の機器で情報源から取得する処理）
図１５は、携帯型情報処理装置の接続替えを行い移動体機器で出力する音声情報等を屋内機器を用いて情報源から取得する例を示すフローチャートである。情報源からは、楽曲等の音声情報（音楽情報）に限らず、取得可能な音楽情報を記載した音楽番組情報、ヒットチャート、記憶している音楽情報に関連する各種情報（例えば当該音楽情報の内容（曲名、アーティスト名、時間など）、当該音楽と同じアーティストの音楽情報またはアーティスト自身の情報）など音声（音楽）に関連する所定の情報を取得することができる。
【００９０】
はじめに、携帯型情報処理装置（ブレインユニット）４０は、接続した機器（接続機器）からの電源供給を待機し（ステップＳ１４１：Ｎｏのループ）、接続機器から電源供給を受けると（ステップＳ１４１：Ｙｅｓ）、接続機器から識別情報を取得し（ステップＳ１４２）、接続機器を判別する（ステップＳ１４３）。ステップＳ１４３による判別の結果が移動体機器であるときには、携帯型情報処理装置（ブレインユニット）４０は、この移動体機器（カーナビゲーション装置）４１における音声の再生出力を制御する。
【００９１】
はじめに、移動体機器（カーナビゲーション装置）４１から識別情報を取得する（ステップＳ１４４）。つぎに、取得したこの識別情報と、記憶手段であるＨＤＤ６６等に記憶されている音声情報に基づいてオーディオ情報を生成する（ステップＳ１４５）。そして、オーディオ情報に基づいて移動体機器（カーナビゲーション装置）４１の音入出力部８０（図６参照）のスピーカーから音声出力する（ステップＳ１４６）。この後、移動体機器（カーナビゲーション装置）４１からの電源遮断の有無を検出し（ステップＳ１４７）、電源遮断されていない間は（ステップＳ１４７：Ｎｏ）、ステップＳ１４４に復帰してステップＳ１４４〜ステップＳ１４７の処理を継続する。一方、電源遮断されると（ステップＳ１４７：Ｙｅｓ）、移動体機器（カーナビゲーション装置）４１を用いた音声出力の制御を終了する。
【００９２】
ステップＳ１４３による判別の結果が屋内機器であるときには、携帯型情報処理装置（ブレインユニット）４０は、この屋内機器（リビングユニット）４２を用いて音声情報等の取得を制御する。
【００９３】
はじめに、携帯型情報処理装置（ブレインユニット）４０は、屋内機器（リビングユニット）４２の操作部８５（図７参照）の操作等により音声情報等を情報源から取得する指令情報を取得する（ステップＳ１５１）。つぎに、指令情報に基づいて、屋内機器（リビングユニット）４２に対して要求情報を生成する（ステップＳ１５２）。この要求情報に基づいて、屋内機器（リビングユニット）４２は、外部Ｉ／Ｆ８４（図７参照）からインターネット等のネットワークを介して外部のサーバ等（情報源）に対してアクセスし、音楽情報等の更新情報を取得する（ステップＳ１５３）。ここでは、ＨＤＤ６６に記憶されていた音楽情報に関連する各種情報（例えば当該音楽情報の内容（曲名、アーティスト名、時間など）、当該音楽と同じアーティストの音楽情報またはアーティスト自身の情報）など音声（音楽）に関連する所定の情報を指している。
【００９４】
そして、取得した更新情報に基づいて、ＨＤＤ６６に記憶されている音声情報（この場合、音楽情報に関連する所定の情報）を更新する（ステップＳ１５４）。この後、屋内機器（リビングユニット）４２からの電源遮断の有無を検出し（ステップＳ１５５）、電源遮断されていない間は（ステップＳ１５５：Ｎｏ）、ステップＳ１５１に復帰してステップＳ１５１〜ステップＳ１５５の処理を継続する。一方、電源遮断されると（ステップＳ１５５：Ｙｅｓ）、屋内機器（リビングユニット）４２を用いた音楽情報の取得に関する制御を終了する。
【００９５】
上述したように、携帯型情報処理装置（ブレインユニット）４０を屋内機器（リビングユニット）４２に接続して上述の制御を行った後に、この携帯型情報処理装置（ブレインユニット）４０を移動体機器（カーナビゲーション装置）４１に接続したときには、屋内機器（リビングユニット）４２が取得した音楽情報を、この移動体機器（カーナビゲーション装置）４１を用いて再生することができる。また、図１５を用いた説明では、携帯型情報処理装置（ブレインユニット）４０を、移動体機器（カーナビゲーション装置）４１、あるいは屋内機器（リビングユニット）４２に接続する構成とした。これに限らず、携帯型情報処理装置（ブレインユニット）４０を、屋内機器（リビングユニット）４２、あるいは携帯機器１００に接続する構成にもできる。この場合、屋内機器（リビングユニット）４２、あるいは携帯機器１００の一方の機器で取得した音楽情報を他方の機器を用いて再生することができる。
【００９６】
以上説明したように、上述した実施の形態によれば、携帯できる程度に小型化された携帯型情報処理装置を移動体機器や屋内機器、携帯機器に装着し、接続することにより、各接続された機器の機能を動作させることができるようになる。携帯型情報処理装置には、各機器を動作制御するＣＰＵと、情報を記憶する記憶手段とが設けられている。この携帯型情報処理装置が接続された機器は、ＣＰＵにより各機能が動作制御され、記憶手段に記憶された情報を用いてこれらの機能を有効に活用することができるようになる。特に、車両や屋内、屋外の各場所に適した機器を用いて使用場所を選ばずに使用できるようになる。また、異なる箇所、例えば屋内において移動体用機器や携帯機器用の情報を設定したり取得することができる。これらの情報は携帯型情報処理装置の記憶手段に記憶させておいて、移動体用機器や携帯機器の使用時に、接続された携帯用情報処理装置の記憶手段から読み出して用いることができる。
【００９７】
なお、本実施の形態で説明した携帯型情報処理装置における情報処理方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００９８】
【図１】携帯型情報処理装置の実施の形態を示す概要図である。
【図２】携帯型情報処理装置の基本的な制御内容を示すフローチャートである。
【図３】携帯型情報処理装置を異なる機器に接続したときの制御内容を示すフローチャートである。
【図４】携帯型情報処理装置の具体的な使用例を示す図である。
【図５】屋内機器に対する各種装置の接続構成例を示す図である。
【図６】携帯型情報処理装置を移動体機器に接続した状態の構成を示すブロック図である。
【図７】携帯型情報処理装置を屋内機器に接続した状態の構成を示すブロック図である。
【図８】携帯型情報処理装置を移動体機器あるいは屋内機器に接続したときのそれぞれの機器における制御内容を説明するフローチャートである。
【図９】携帯型情報処理装置の接続替えを行い移動体機器で用いる情報を更新処理する例を示すフローチャートである。
【図１０】携帯型情報処理装置の接続替えを行い移動体機器で用いる情報を更新処理する例を示すフローチャートである。
【図１１】携帯機器を示す斜視図である。
【図１２】携帯型情報処理装置を携帯機器に接続した状態の構成を示すブロック図である。
【図１３】携帯型情報処理装置を複数の機器に接続替えを行い各機器を動作させる例を示すフローチャートである。
【図１４】携帯型情報処理装置の接続替えを行い移動体機器と屋内機器のそれぞれの再生環境に応じた音声出力処理する例を示すフローチャートである。
【図１５】携帯型情報処理装置の接続替えを行い移動体機器で出力する音声情報等を屋内機器を用いて情報源から取得する例を示すフローチャートである。
【符号の説明】
【００９９】
１  第１機器
２  第２機器
３，４，１２  接続手段
１０  携帯型情報処理装置
１１  記憶手段
１３  情報取得手段
１４  動作情報生成手段
１５  制御手段
４０  ブレインユニット
４１  移動体機器（カーナビゲーション装置）
４１ｂ，１０１  表示部
４２  屋内機器（リビングユニット）
４３  映像表示装置
６１  ＣＰＵ
６６  ＨＤＤ
７６，８５，１０２  操作部
８０，８９，１０３  音入出力部
【図１】
0004493635.tif 000002
【図２】
0004493635.tif 000003
【図３】
0004493635.tif 000004
【図４】
0004493635.tif 000005
【図５】
0004493635.tif 000006
【図６】
0004493635.tif 000007
【図７】
0004493635.tif 000008
【図８】
0004493635.tif 000009
【図９】
0004493635.tif 000010
【図１０】
0004493635.tif 000011
【図１１】
0004493635.tif 000012
【図１２】
0004493635.tif 000013
【図１３】
0004493635.tif 000014
【図１４】
0004493635.tif 000015
【図１５】
0004493635.tif 000016